(57)【特許請求の範囲】
【請求項１】
吹出口（１５）からの空気の吹き出し方向を変更可能な空調室内機であって、
前記吹出口（１５）が形成されたケーシング（１３）と、
前記ケーシング（１３）内に配置され、前記吹出口（１５）からの空気の吹き出し状態を、前記ケーシング（１３）の正面側に吹き出す第１状態、及び前記ケーシング（１３）の側面側に吹き出す第２状態のいずれかに切り換え可能な垂直羽根（２０）と、
運転時に前記吹出口（１５）を開ける開状態となり、運転停止時に前記吹出口（１５）を閉じる閉状態となる上下風向調整羽根（３０）と、
前記垂直羽根（２０）および前記上下風向調整羽根（３０）の動作を制御する制御部（４０）と、
を備え、
前記垂直羽根（２０）は、前記第１状態では前記閉状態の前記上下風向調整羽根（３０）と干渉する程度の大きさに設定されており、
前記上下風向調整羽根（３０）が閉状態のときの前記垂直羽根（２０）の前記第２状態が、前記垂直羽根（２０）の原点位置であり、
前記制御部（４０）は、運転停止時に前記垂直羽根（２０）を前記第２状態にした後、前記上下風向調整羽根（３０）を閉状態にする、
空調室内機（１０）。
【請求項２】
前記制御部（４０）は、運転停止直前の前記垂直羽根（２０）の位置を記憶し、運転再開時に前記位置へ復帰させる、
請求項１に記載の空調室内機（１０）。
【請求項３】
前記垂直羽根（２０）は、間隔を開けて並ぶ複数の垂直羽根片（２０１）を有し、
前記制御部（４０）は、運転停止時に複数の前記垂直羽根片（２０１）のうちの左半分を前記ケーシング（１３）の左側面側に向け、右半分を前記ケーシング（１３）の右側面側に向ける、
請求項２に記載の空調室内機（１０）。
【請求項４】
前記垂直羽根（２０）は、間隔を開けて並ぶ複数の垂直羽根片（２０１）を有し、
前記制御部（４０）は、運転停止時に複数の前記垂直羽根片（２０１）を右左いずれか一方に向ける、
請求項２に記載の空調室内機（１０）。
【請求項５】
吹出口（１５）からの空気の吹き出し方向を変更可能な空調室内機であって、
前記吹出口（１５）が形成されたケーシング（１３）と、
前記ケーシング（１３）内に配置され、前記吹出口（１５）からの空気の吹き出し状態を、前記ケーシング（１３）の正面側に吹き出す第１状態、及び前記ケーシング（１３）の側面側に吹き出す第２状態のいずれかに切り換え可能な垂直羽根（２０）と、
運転時に前記吹出口（１５）を開ける開状態となり、運転停止時に前記吹出口（１５）を閉じる閉状態となる上下風向調整羽根（３０）と、
運転時、水平状態に近い姿勢をとっているときの前記上下風向調整羽根（３０）の後端と前記吹出口（１５）との間に生じる隙間を小さくする補助羽根（１３０）と、
前記垂直羽根（２０）および前記上下風向調整羽根（３０）の動作を制御する制御部（４０）と、
を備え、
前記補助羽根（１３０）は、運転停止時に、閉状態の前記上下風向調整羽根（３０）よりも前記垂直羽根（２０）に近い位置に収納され、
前記垂直羽根（２０）は、前記第１状態では収納状態の前記補助羽根（１３０）及び前記閉状態の前記上下風向調整羽根（３０）と干渉する程度の大きさに設定されており、
前記制御部（４０）は、運転停止時に前記垂直羽根（２０）を第２状態にした後、前記補助羽根（１３０）を前記収納状態にし、前記上下風向調整羽根（３０）を閉状態にする、
空調室内機（１０）。
【発明の詳細な説明】
【技術分野】
【０００１】
本発明は、空調室内機に関する。
【背景技術】
【０００２】
空調室内機の吹出口から吹き出される空気は、吹出口近傍に配置された上下風向調整羽根、及び吹出口の内側に配置された垂直羽根によって吹き出し方向の変更が可能である。例えば、特許文献１（特開２００６−２９８４号公報）に開示されている室内機では、吹出口に上下風向板と複数の左右風向板（垂直羽根）とが設けられており、左右風向板により室内に吹き出される空気の左右方向の向きを偏向し、上下風向板によって上下方向の向きを変更する。
【発明の概要】
【発明が解決しようとする課題】
【０００３】
しかしながら、特許文献１に記載の左右風向板（垂直羽根）は、室内ファンから吹出口に向って形成されている吹出流路の途中に収納されているので、吹出流路を通る空気を左右に偏向することはできるが、吹出口を出た空気が狙いの方向に進むとは考えにくい。
【０００４】
本発明の課題は、吹き出し空気の左右吹き出しにおいて、空気を狙いの方向に効率的に吹き出すことができる空調室内機を提供することにある。
【課題を解決するための手段】
【０００５】
本発明の第１観点に係る空調室内機は、吹出口からの空気の吹き出し方向を変更可能な空調室内機であって、ケーシングと、垂直羽根と、上下方向調整羽根と、制御部とを備えている。ケーシングには、吹出口が形成されている。垂直羽根は、ケーシング内に配置され、吹出口からの空気の吹き出し状態を第１状態および第２状態のいずれかに切り換え可能である。第１状態は、ケーシングの正面側に吹き出す状態である。第２状態は、ケーシングの側面側に吹き出す状態である。上下風向調整羽根は、運転時に吹出口を開ける開状態となり、運転停止時に吹出口を閉じる閉状態となる。制御部は、垂直羽根および上下風向調整羽根の動作を制御する。また、垂直羽根は、第１状態では閉状態の上下風向調整羽根と干渉する程度の大きさに設定されている。また、上下風向調整羽根が閉状態のときの垂直羽根の第２状態が、垂直羽根の原点位置である。そして、制御部は、運転停止時に垂直羽根を第２状態にした後、上下風向調整羽根を閉状態にする。
【０００６】
この空調室内機では、制御部は、運転停止時に垂直羽根を第２状態にした後に上下風向調整羽根を閉状態にするので、垂直羽根と上下風向調整羽根とが干渉せず、また、干渉してもその程度が小さい。それゆえ、垂直羽根の吹き出し方向の寸法を長くとることができるので、横吹き出し時の空気を狙いの方向に向けることができる上に、運転停止時の上下風向調整羽根と垂直羽根との干渉による、垂直羽根の塑性変形を防止することができる。
【０００７】
また、従来、運転再開ごとに垂直羽根を原点位置に復帰させていたが、この空調室内機では、上下風向調整羽根が閉状態のときの垂直羽根の第２状態を垂直羽根の原点位置とすることによって、運転再開時の垂直羽根の原点復帰を省略することができる。その結果、使用者が運転開始から空気吹き出し動作に至るまでの時間を長く感じる、というような不快感を軽減することができる。
【０００８】
本発明の第２観点に係る空調室内機は、第１観点に係る空調室内機であって、制御部が、運転停止直前の垂直羽根の位置を記憶し、運転再開時にその位置へ復帰させる。
【０００９】
この空調室内では、運転再開時の垂直羽根の原点復帰を省略することができるので、垂直羽根が前回運転時の位置に戻るまでに要する時間が従来よりも短くなり、その分、使用者が運転開始から空気吹き出し動作に至るまでの時間を長く感じる、というような不快感を軽減することができる。
【００１０】
本発明の第３観点に係る空調室内機は、第２観点に係る空調室内機であって、垂直羽根が、間隔を開けて並ぶ複数の垂直羽根片を有している。制御部は、運転停止時に複数の垂直羽根片のうちの左半分をケーシングの左側面側に向け、右半分をケーシングの右側面側に向ける。
【００１１】
この空調室内機、特に、吹き出し空気を左右独立して吹き分けることができるタイプの空調室内機では、運転再開時の垂直羽根の原点復帰を省略することができるので、運転開始から垂直羽根が前回運転時の位置に復帰するまでに要する時間が従来よりも短くなり、その分、使用者が運転開始から空気吹き出し動作に至るまでの時間を長く感じる、というような不快感を軽減することができる。
【００１２】
本発明の第４観点に係る空調室内機は、第２観点に係る空調室内機であって、垂直羽根が、間隔を開けて並ぶ複数の垂直羽根片を有している。制御部は、運転停止時に複数の垂直羽根片を右左いずれか一方に向ける。
【００１３】
この空調室内機、特に、吹き出し空気を左右いずれか一方に向けるタイプの空調室内機では、運転再開時の垂直羽根の原点復帰を省略することができるので、運転開始から垂直羽根が前回運転時の位置に復帰するまでに要する時間が従来よりも短くなり、その分、使用者が運転開始から空気吹き出し動作に至るまでの時間を長く感じる、というような不快感を軽減することができる。
【００１４】
本発明の第５観点に係る空調室内機は、吹出口からの空気の吹き出し方向を変更可能な空調室内機であって、ケーシングと、垂直羽根と、上下方向調整羽根と、補助羽根と、制御部とを備えている。ケーシングには、吹出口が形成されている。垂直羽根は、ケーシング内に配置され、吹出口からの空気の吹き出し状態を第１状態および第２状態のいずれかに切り換え可能である。第１状態は、ケーシングの正面側に吹き出す状態である。第２状態は、ケーシングの側面側に吹き出す状態である。上下風向調整羽根は、運転時に吹出口を開ける開状態となり、運転停止時に吹出口を閉じる閉状態となる。補助羽根は、運転時、風向調整羽根が水平状態に近い姿勢をとっているときの上下風向調整羽根の後端と吹出口との間に生じる隙間を小さくする。制御部は、垂直羽根および上下風向調整羽根の動作を制御する。補助羽根は、運転停止時に、閉状態の上下風向調整羽根よりも垂直羽根に近い位置に収納される。垂直羽根は、第１状態では収納状態の補助羽根及び閉状態の上下風向調整羽根と干渉する程度の大きさに設定されている。制御部は、運転停止時に垂直羽根を第２状態にした後、補助羽根を収納状態し、上下風向調整羽根を閉状態にする。
【００１５】
この空調室内機では、制御部は、運転停止時に垂直羽根を第２状態にした後、補助羽根を収納状態にするので、垂直羽根と補助羽根とが干渉せず、また、干渉してもその程度が小さい。それゆえ、垂直羽根の吹き出し方向の寸法を長くとることができるので、横吹き出し時の空気を狙いの方向に向けることができる上に、運転停止時の補助羽根と垂直羽根との干渉による、垂直羽根の塑性変形を防止することができる。
【発明の効果】
【００１６】
本発明の第１観点に係る空調室内機では、垂直羽根と上下風向調整羽根とが干渉せず、また、干渉してもその程度が小さい。それゆえ、垂直羽根の吹き出し方向の寸法を長くとることができ、横吹き出し時の空気を狙いの方向に向けることができる上に、運転停止時の上下風向調整羽根と垂直羽根との干渉による、垂直羽根の塑性変形を防止することができる。
【００１７】
本発明の第２観点から第４観点のいずれかに係る空調室内機では、垂直羽根が前回運転時の位置に戻るまでに要する時間が従来よりも短くなるので、その分、使用者が運転開始から空気吹き出し動作に至るまでの時間を長く感じる、というような不快感を軽減することができる。
【００１８】
本発明の第５観点に係る空調室内機では、垂直羽根と補助羽根とが干渉せず、また、干渉してもその程度が小さい。それゆえ、垂直羽根の吹き出し方向の寸法を長くとることができ、横吹き出し時の空気を狙いの方向に向けることができる上に、運転停止時の補助羽根と垂直羽根との干渉による、垂直羽根の塑性変形を防止することができる。
【図面の簡単な説明】
【００１９】
【図１】本発明の一実施形態に係る空調室内機であって、運転時の当該空調室内機の斜視図。
【図２】図１に係る空調室内機であって、運転停止時の当該空調室内機の断面図。
【図３】上下風向調整羽根が吹出口を開けたときの空調室内機下部の側面図。
【図４】暖房運転時に採られる下吹き姿勢の上下風向調整羽根側面図。
【図５】暖房運転時に採られる上吹き姿勢の上下風向調整羽根側面図。
【図６】第２状態の羽根片、及びその周辺の斜視図。
【図７】図１のＡ−Ａ線における空調室内機の部分断面図。
【発明を実施するための形態】
【００２０】
以下、図面を参照しながら、本発明の実施形態について説明する。なお、以下の実施形態は、本発明の具体例であって、本発明の技術的範囲を限定するものではない。
【００２１】
（１）空調室内機１０の構成
図１は、本発明の一実施形態に係る空調室内機１０であって、運転時の当該空調室内機１０の斜視図である。また、図２は、図１に係る空調室内機であって、運転停止時の当該空調室内機１０の断面図である。
【００２２】
図１及び図２において、空調室内機１０は壁掛式の室内機であって、室内熱交換器１１、室内ファン１２、本体ケーシング１３、底フレーム１７、フィルタ２５及び制御部４０が搭載されている。
【００２３】
本体ケーシング１３は、前面グリル１３ａ、前面パネル１３ｂ及び背面板１３ｃによって立体空間を形成し、その立体空間内に室内熱交換器１１、室内ファン１２、底フレーム１７、フィルタ２５、及び制御部４０が収まっている。前面パネル１３ｂは、前面グリル１３ａの前面を覆っており、上端が前面グリル１３ａに回動自在に支持され、ヒンジ式に動作することができる。また、本体ケーシング１３は、取付板（図示せず）を介して壁に装着される。
【００２４】
室内熱交換器１１及び室内ファン１２は、底フレーム１７に取り付けられている。室内熱交換器１１は、通過する空気との間で熱交換を行う。また、室内熱交換器１１は、側面視において両端が下方に向いて屈曲する逆Ｖ字状の形状を成し、その下方に室内ファン１２が位置する。室内ファン１２は、クロスフローファンであり、室内から取り込んだ空気を、室内熱交換器１１に当てて通過させた後、室内に吹き出す。
【００２５】
本体ケーシング１３の下面部には、吹出口１５が設けられている。吹出口１５には、吹出口１５から吹き出される空気を案内する上下風向調整羽根３０が回動自在に取り付けられている。上下風向調整羽根３０は、モータ（図示せず）によって駆動し、空気の吹出方向を変更するだけでなく、吹出口１５を開閉することもできる。吹出口１５は、吹出流路１８によって本体ケーシング１３の内部と繋がっており、吹出流路１８は吹出口１５から底フレーム１７に沿って形成されている。
【００２６】
また、吹出流路１８には、図２に示すように、垂直羽根２０が配置されている。垂直羽根２０は、吹き出し空気を少なくとも本体ケーシング１３の正面または側面のいずれかの方向に仕向けることができる。
【００２７】
本体ケーシング１３の前面グリル１３ａと室内熱交換器１１との間にはフィルタ２５が配置されている。フィルタ２５は、室内熱交換器１１に向って流入してくる空気に含まれる塵埃を除去する。
【００２８】
前面グリル１３ａの前上部には、吸込口２２が設けられている。吸込口２２近傍の室内空気は、室内ファン１２の稼動によって吸込口２２、フィルタ２５及び室内熱交換器１１を経て室内ファン１２に吸い込まれ、室内ファン１２から吹出流路１８を経て吹出口１５から吹き出される。
【００２９】
制御部４０は、本体ケーシング１３の前方部分に収まっており、室内ファン１２の回転数制御、吹出口１５の開度調節などを行う。なお、吹出口１５の開度調節は、上下風向調整羽根３０と補助羽根１３０とを介して行なわれる。
【００３０】
（２）詳細構成
（２−１）上下風向調整羽根３０
上下風向調整羽根３０は、図１及び図２に示すように略長方形を成す板状部材であり、空調室内機１０が運転を停止しているときは、吹出口１５の開口を覆う位置（以後、閉位置とよぶ）で待機する。上下風向調整羽根３０の閉位置において外部から視認することができる第１面３０ａは、本体ケーシング１３の下面の一部を担っている。
【００３１】
また、上下風向調整羽根３０の第１面３０ａの裏面である第２面３０ｂには、第１前方連結部３１１、第２前方連結部３１２、及び第３前方連結部３１３が設けられている（図１参照）。第１前方連結部３１１、第２前方連結部３１２、及び第３前方連結部３１３は、上下風向調整羽根３０の閉位置において第２面３０ｂの前方端側で、第２面３０ｂの長手方向に沿ってほぼ等間隔で配置されている。
【００３２】
さらに、上下風向調整羽根３０の第２面３０ｂには、第１後方連結部３２１、及び第２後方連結部３２２が設けられている。第１後方連結部３２１、及び第２後方連結部３２２は、上下風向調整羽根３０の閉位置において第２面３０ｂの後方端側で、第２面３０ｂの長手方向中央部に配置されている。
【００３３】
第１前方連結部３１１、第２前方連結部３１２、及び第３前方連結部３１３それぞれには、円弧状のラック部材４６の一端が連結される。ラック部材４６は、凸側面にラックアンドピニオン機構のラック４６ａが形成されており、ラック部材４６はラック４６ａを吹出口１５の斜め上方に向けた姿勢をとる。
【００３４】
また、図１に示すように、第１後方連結部３２１、及び第２後方連結部３２２それぞれには、折り畳み可能なリンク部材４７の一端が連結されている。リンク部材４７は、２つの棒状部材の端部同士が回転自在に接合された構成である。リンク部材４７の２つの棒状部材のうち節４７ｃの上側を上リンク４７ａ、下側を下リンク４７ｂとよぶ。
【００３５】
図３は、上下風向調整羽根３０が吹出口１５を開けたときの空調室内機１０下部の側面図である。図３において、本体ケーシング１３の内部には、第１ステッピングモータ５１が搭載されており、第１ステッピングモータ５１の回転軸にはピニオンギア５１ａが取り付けられている。ピニオンギア５１ａはラック４６ａと噛み合っており、第１ステッピングモータ５１がピニオンギア５１ａを図３正面視で時計方向に回転させることによって、ラック部材４６が吹出口１５の前方に向って移動し、上下風向調整羽根３０の前部が吹出口１５の前方に向って迫り出す。これを、第１ステッピングモータ５１の第１動作とよぶ。
【００３６】
逆に、第１ステッピングモータ５１がピニオンギア５１ａを図３正面視で反時計方向に回転させることによって、ラック部材４６が本体ケーシング１３の奥側に向って後退する。これを、第１ステッピングモータ５１の第２動作とよぶ。
【００３７】
さらに、本体ケーシング１３の内部には、第２ステッピングモータ５２が搭載されており、第２ステッピングモータ５２の回転軸には駆動ギア５２ａが取り付けられている。また、リンク部材４７の上リンク４７ａの端部に被駆動ギア４８が設けられており、第２ステッピングモータ５２が駆動ギア５２ａを介して被駆動ギア４８を図３正面視の時計方向に回転させることによって、節４７ｃを中心に上リンク４７ａと下リンク４７ｂとが成す中心角が拡大し、上下風向調整羽根３０の後部が吹出口１５の前方に向って迫り出す。これを、第２ステッピングモータ５２の第１動作とよぶ。
【００３８】
逆に、駆動ギア５２ａが被駆動ギア４８を図３正面視の反時計方向に回転させることによって、節４７ｃを中心に上リンク４７ａと下リンク４７ｂとが成す中心角が縮小し、上下風向調整羽根３０の後部が吹出口１５に向って後退する。これを、第２ステッピングモータ５２の第２動作とよぶ。
【００３９】
したがって、第１ステッピングモータ５１の第１動作と第２ステッピングモータ５２の第１動作とが、同時または連続して実行されることによって、上下風向調整羽根３０が吹出口１５の前方に向って迫り出す。また、第１ステッピングモータ５１の第２動作と第２ステッピングモータ５２の第２動作とが、同時または連続して実行されることによって、上下風向調整羽根３０が吹出口１５に向って後退する。
【００４０】
なお、図３で示した上下風向調整羽根３０の姿勢は、除湿運転時などに採られる上下吹き姿勢であるが、この他、第１ステッピングモータ５１の第１動作、第２動作、第２ステッピングモータ５２の第１動作、及び第２動作の組み合わせによって、さまざまの形態をとり得る。以下、代表的な姿勢について図面を参照しながら説明する。
【００４１】
図４は、暖房運転時に採られる下吹き姿勢の上下風向調整羽根３０の側面図である。また、図５は、暖房運転時に採られる上吹き姿勢の上下風向調整羽根３０の側面図である。図４において、上下風向調整羽根３０の暖房運転時の下吹き姿勢は、閉位置を基準とした場合、第１ステッピングモータ５１がピニオンギア５１ａを図３正面視で時計方向に角度Ａ１だけ回転させ、第２ステッピングモータ５２が被駆動ギア４８を図３正面視の時計方向に角度Ｂ１だけ回転させることによって、実現される。
【００４２】
また、図５において、上下風向調整羽根３０の暖房運転時の上吹き姿勢は、閉位置を基準とした場合、第１ステッピングモータ５１がピニオンギア５１ａを図３正面視で時計方向に角度Ａ１だけ回転させ、第２ステッピングモータ５２が被駆動ギア４８を図３正面視の時計方向に角度Ｂ２だけ回転させることによって、実現される。なお、角度Ｂ２≧角度Ｂ１である。
【００４３】
（２−２）補助羽根１３０
図１において、吹出口１５の後部に、その長辺と平行な回動軸を有する２つの補助羽根１３０が設けられている。２つの補助羽根１３０は、吹出口１５の長手方向に沿って隣接している。
【００４４】
本体ケーシング１３のうち吹出口１５の中央部と対峙する位置に、補助羽根１３０の回動軸の一端を支持する２つの中央支持部１３１が設けられている。また、本体ケーシング１３のうち吹出口１５の後部コーナーには、補助羽根１３０の回動軸の他方の端を支持する側方支持部１３２が設けられている。
【００４５】
また、図２に示すように、上下風向調整羽根３０が閉位置にあるとき、補助羽根１３０は上下風向調整羽根３０の上方に、上下風向調整羽根３０とほぼ平行な姿勢で収納されており、外部からは見えない。このとき、補助羽根１３０は、上下風向調整羽根３０の第２面３０ｂと重なるように近接しているので、補助羽根１３０が吹出流路１８を占有する空間は小さく、吹出口１５周辺および吹出流路１８に配置されている他の部材（例えば、垂直羽根２０）との干渉が最小限に抑えられている。
【００４６】
また、上下風向調整羽根３０が図３に示すような除湿運転時などにおける上下吹き姿勢を採るとき、補助羽根１３０の先端が上下風向調整羽根３０の後端に向くように回動する。上下風向調整羽根３０が上下吹き姿勢を採るとき、吹出口１５からの吹き出し空気は、上下風向調整羽根３０の第２面３０ｂに当たって、斜め上方に向う空気と、斜め下方に向う空気とに分かれる。但し、上下風向調整羽根３０の後端と吹出口１５との隙間が大きいので、斜め下方に向う空気の一部が吹出口１５後方の壁（空調室内機１０が取り付けられる壁）に向って流れ、壁面を汚す原因になる。
【００４７】
本実施形態の場合、上下風向調整羽根３０の後端と吹出口１５との隙間に補助羽根１３０が介在するようになるので、その隙間を通過して後方へ漏れ出ようとする吹き出し空気を補助羽根１３０が遮る。その結果、吹き出し空気による壁面の汚れが防止される。
【００４８】
また、上下風向調整羽根３０が図４に示すような暖房運転における下吹き姿勢を採るとき、若しくは、図５に示すような暖房運転における上吹き姿勢を採るとき、補助羽根１３０は、上下風向調整羽根３０とほぼ平行になるように回動する。この場合、補助羽根１３０は後方へ漏れ出ようとする吹き出し空気を遮るだけでなく、その吹き出し空気を上下風向調整羽根３０と平行な方向へ導く。
【００４９】
（２−３）垂直羽根２０
垂直羽根２０は、図１に示すように、複数の羽根片２０１と、複数の羽根片２０１を連結する連結棒２０３を有している。また、垂直羽根２０は、図２に示すように、吹出流路１８において、閉位置における上下風向調整羽根３０の第２面３０ｂよりも室内ファン１２近傍に配置されている。
【００５０】
羽根片２０１は、吹出流路１８の室内ファン１２側から吹出口１５側に向って徐々に面積が拡大する板片であり、吹出口１５側に連結棒２０３が挿入されるスリット孔２０１ａが形成され、室内ファン１２側の端部には本体ケーシング１３内部に支持される支持部２０１ｂが形成されている。また、羽根片２０１には、中央部から支持部２０１ｂに向って延びる２つのスリット２０１ｃが形成されている。
【００５１】
複数枚の羽根片２０１は、連結棒２０３が吹出口１５の長手方向に沿って水平往復移動することによって、本体ケーシング１３の長手方向に対して垂直な状態を中心に左右に揺動する。なお、連結棒２０３は、モータ（図示せず）によって水平往復移動する。
【００５２】
羽根片２０１は揺動だけでなく、揺動した後にモータが停止することによって任意の角度で止まることができる。それゆえ、羽根片２０１は、吹出口１５からの空気の吹き出し状態を本体ケーシング１３の正面側に吹き出す第１状態（図１参照）と、本体ケーシング１３の側面側に吹き出す第２状態のいずれかに切り換え可能である。
【００５３】
図６は、第２状態の羽根片２０１及びその周辺の斜視図である。図６において、例えば、連結棒２０３が吹出口１５の長手方向に沿って最大限移動したとき、羽根片２０１では、２つのスリット２０１ｃに挟まれた部分が支持部２０１ｂを固定端とする片持ち梁となって撓む。それゆえ、羽根片２０１の先端は本体ケーシング１３の側面側に向き、第２状態となる。
【００５４】
また、垂直羽根２０の羽根片２０１は、吹き出し方向の寸法を長くとるほど、横吹き出し時の空気を狙いの方向に向けることができるので、本実施形態では、第１状態の羽根片２０１の大きさが、閉状態の上下風向調整羽根３０と干渉する程度の大きさに設定されている。
【００５５】
図７は、図１のＡ−Ａ線における空調室内機１０の部分断面図である。図７において、垂直羽根２０の中央より右側にある羽根片２０１は先端を右側面ＲＦ側に向ける姿勢を採り、垂直羽根２０の中央より左側にある羽根片２０１は先端を左側面ＬＦ側に向ける姿勢を採っている。つまり、制御部４０は、吹出口１５からの空気を本体ケーシング１３の側面側に吹き出す第２状態に切り換えた後、補助羽根１３０を収納し、且つ上下風向調整羽根３０を閉位置に戻している。
【００５６】
仮に、制御部４０が空調室内機１０の運転を停止し、上下風向調整羽根３０を閉位置に戻した場合、羽根片２０１が第１状態のままでは羽根片２０１の先端部と上下風向調整羽根３０とが干渉する。さらに、補助羽根１３０は上下風向調整羽根３０の上方に収納されるので、補助羽根１３０とも干渉する。このような干渉は、軋み音が発生させるだけでなく、羽根片２０１を変形させる可能性がある。
【００５７】
そこで、本実施形態では、制御部４０が空調室内機１０の運転を停止する際、図７に示すように羽根片２０１を第２状態にするので、吸込口１５に収納された補助羽根１３０、及び閉位置に戻った上下風向調整羽根３０との干渉が防止される。また、仮に干渉しても、干渉の程度が小さいので、軋み音の発生や羽根片２０１の変形が防止される。
【００５８】
また、空調室内機１０では垂直羽根２０の連結棒２０３をステッピングモータで駆動しており、上下風向調整羽根３０が閉状態のときの羽根片２０１の第２状態を垂直羽根２０の原点位置としている。制御部４０は、運転開始時に垂直羽根２０を一旦原点位置に移動させてから、記憶している前回停止直前の位置へ戻す必要があるが、停止時にすでに垂直羽根２０が原点位置にある（羽根片２０１が第２状態にある）ので、原点位置までの時間が省略される。それゆえ、運転開始から垂直羽根２０が前回停止直前の位置に復帰するまでに要する時間が従来よりも短くなり、その分、使用者が運転開始から空気吹き出し動作に至るまでの時間を長く感じる、というような不快感を軽減することができる。
【００５９】
なお、図７では、複数の羽根片２０１のうちの半分は先端を右側面ＲＦ側に向け、残りの半分が左側面ＬＦ側に向けているが、それに限定されるものではなく、全ての羽根片２０１の先端を右側面ＲＦ側および左側面ＬＦ側のいずれか一方に向けても同様の効果が得られる。
【００６０】
（３）特徴
（３−１）
空調室内機１０では、垂直羽根２０は、本体ケーシング１３内に配置され、吹出口１５からの空気の吹き出し状態を第１状態および第２状態のいずれかに切り換え可能である。第１状態は本体ケーシング１３の正面側に吹き出す状態であり、第２状態は本体ケーシング１３の側面側に吹き出す状態である。制御部４０は、運転停止時に垂直羽根２０を第２状態にした後に補助羽根１３０を収納し上下風向調整羽根３０を閉状態にするので、垂直羽根２０と上下風向調整羽根３０及び補助羽根１３０とが干渉せず、また、干渉してもその程度が小さい。それゆえ、垂直羽根２０の吹き出し方向の寸法を長くとることができ、横吹き出し時の空気を狙いの方向に向けることができる上に、運転停止時に上下風向調整羽根と垂直羽根との干渉による、垂直羽根の塑性変形を防止することができる。
【００６１】
（３−２）
また、上下風向調整羽根３０が閉状態のときの垂直羽根２０の第２状態が、垂直羽根２０の原点位置である。従来の運転再開ごとに垂直羽根を原点位置に復帰させている空調室内機との比較において、運転再開時の垂直羽根２０の原点復帰が省略される。その結果、使用者が運転開始から空気吹き出し動作に至るまでの時間を長く感じる、というような不快感を軽減することができる。
【００６２】
（３−３）
空調室内機１０では、制御部４０が、運転停止直前の垂直羽根２０の位置を記憶し、運転再開時にその位置へ復帰させる。この空調室内機では、運転開始時すでに垂直羽根２０が原点位置にあるので、垂直羽根２０が前回停止直前の位置に戻るまでに要する時間が従来よりも短くなる。それゆえ、使用者が運転開始から空気吹き出し動作に至るまでの時間を長く感じる、というような不快感を軽減することができる。
【産業上の利用可能性】
【００６３】
以上のように、本発明によれば空気吹き出し方向に沿った垂直羽根の長さが、従来に比べて大きく設定され、空気を狙いの方向に効率的に吹き出すことができる。よって、吸込口自動開閉タイプの空調室内機に有用である。
【符号の説明】
【００６４】
１０  空調室内機
１３  本体ケーシング
１５  吹出口
２０  垂直羽根
３０  上下風向調整羽根
４０  制御部
１３０  補助羽根
２０１  羽根片
【先行技術文献】
【特許文献】
【００６５】
【特許文献１】特開２００６−２９８４号公報
【図１】
0005267628.tif 000002
【図２】
0005267628.tif 000003
【図３】
0005267628.tif 000004
【図４】
0005267628.tif 000005
【図５】
0005267628.tif 000006
【図６】
0005267628.tif 000007
【図７】
0005267628.tif 000008